(57)【特許請求の範囲】
【請求項１】
天板の両端部に脚体を取り付けてなる複数の作業台の妻側端部間又は桁側端部間に橋架される橋架用天板で、天板本体と、この天板本体の両妻側端部に夫々取り付けられた妻側端部金具とからなる橋架用天板において、
各妻側端部金具の上板部に天板幅方向に長い長孔を形成し、この長孔には、垂直軸部とこれの上端部から一体に水平に延びる水平軸部とこれの先端部から下向き垂直に突出して作業台側の孔部に係止可能な係止用軸部とからなる橋架用天板連結ピンの前記垂直軸部を長孔に沿って天板幅方向移動自在に挿通させると共に、垂直軸部をこれに嵌め込んだコイルバネにより常時下向きに付勢させて、水平軸部を妻側端部金具の上面側に引き付けるようにしてなることを特徴とする橋架用天板。
【請求項２】
前記橋架用天板連結ピンには垂直軸部の上端部にピン引き上げ用リングを取り付けてなることを特徴とする請求項１に記載の橋架用天板。
【請求項３】
前記妻側端部金具には前記長孔の下方で長孔の長さ方向に延びるガイド溝を設け、このガイド溝にガイド部材を長さ方向にスライド自在に嵌合し、このガイド部材に橋架用天板連結ピンの垂直軸部を貫通して、この垂直軸部とガイド部材との間に、水平軸部を妻側端部金具の上板部上面側に引き付けるコイルバネを介装してなることを特徴とする請求項１又は２に記載の橋架用天板。
【請求項４】
前記妻側端部金具の下面側には、橋架時に橋架用天板の浮上がりを防止するための浮上がり防止ピンであって、常時はバネによりピン先端部が妻側端部金具側から作業台の妻側端部又は桁側端部の下面側に突出するように付勢させた橋架用天板浮上がり防止ピンを設けてなる請求項１〜３の何れかに記載の橋架用天板。
【発明の詳細な説明】
【技術分野】
【０００１】
本発明は、複数の作業台（各作業台は天板の両端部に脚体を取り付けたものからなる）の妻側端部間又は桁側端部間に橋架される橋架用天板に関する。
【背景技術】
【０００２】
従来の橋架用天板として、特許公報等の公知文献を具体的に挙げることはできないが、従来の橋架用天板は、天板本体と、この天板本体の両妻側端部に夫々取り付けられた妻側端部金具とからなるもので、例えば、作業台長手方向に対向する２つの作業台の妻側端部間に橋架用天板を橋架する場合には、橋架用天板を、その妻側端部金具の先端部が作業台の妻側端部の上面に載るような状態に配置し、しかして橋架用天板の妻側端部金具に予め設けてあるピン孔と、作業台の天板に滑り止め手段として多数穿設されている孔部の最寄りの一つの孔部とにわたって略コ字形の固定用ピンを掛け渡すことによって、この橋架用天板を双方の作業台に連結固定するようにしている。
【０００３】
上記固定用ピンは、垂直軸部と、この垂直軸部の上端部から一体に水平に延びる水平軸部と、この水平軸部の先端部から下向き垂直に突出した係止用軸部とからなる略コ字形のもので、橋架用天板の妻側端部金具に設けてあるピン孔に係止用軸部を挿入すると共に、水平軸部の先端部から下向き垂直に突出する係止用軸部を作業台側の孔部に係入し、水平軸部は橋架用天板の妻側端部金具上面に添わせて、作業者の靴等を引っ掛かけるようなことがないようにしている。
【発明の開示】
【発明が解決しようとする課題】
【０００４】
上記のような従来の橋架用天板にあっては、橋架用天板の妻側端部金具に設けられたピン孔と、このピン孔から作業台長手方向に沿って一定距離のところにある作業台の妻側端部の孔部とにわたり、あるいは橋架用天板側のピン孔と、このピン孔から作業台幅方向に沿って一定距離のところにある作業台の桁側端部の孔部とにわたって、略コ字形の固定用ピンを掛け渡すようになっているから、橋架用天板側のピン孔から、作業台側の妻側端部にあるピン孔又は作業台側の妻側端部にあるピン孔までの長さが、使用する橋架用天板や作業台によって少しでも違っていれば、固定用ピンの掛け渡しができないというを問題があり、特に、作業台の製作メーカーと橋架用天板の製作メーカーとが異なる場合は、その問題が顕著であった。
【０００５】
また従来の橋架用天板では、橋架用天板の妻側端部金具に設けたピン孔に固定用ピンの垂直軸部を挿入し、このピンの係止用軸部を作業台側の孔部に係入するだけであるから、橋架用天板に振動等によって固定用ピンが抜け出るおそれがあった。
【０００６】
本発明は、上記のような課題に鑑み、橋架用天板側のピン孔から作業台側の孔部までの長さが、使用する橋架用天板や作業台によって多少違っていても、ピンの掛け渡しが簡単に行なえ、また固定用ピンが抜け出ることのないようにした橋架用天板を提供することを目的とする。
【課題を解決するための手段】
【０００７】
上記課題を解決するための手段を、後述する実施形態の参照符号を付して説明すると、請求項１に係る発明は、天板１の両端部に脚体２，２を取り付けてなる複数の作業台Ｓの妻側端部間又は桁側端部間に橋架される橋架用天板Ｋで、天板本体５と、この天板本体５の両妻側端部に夫々取り付けられた妻側端部金具６，６とからなる橋架用天板において、各妻側端部金具６の上板部６ａに天板幅方向に長い長孔１１を形成し、この長孔１１には、垂直軸部１２ａとこれの上端部から一体に水平に延びる水平軸部１２ｂとこれの先端部から下向き垂直に突出して作業台側の孔部Ａ又はＢに係止可能な係止用軸部１２ｃとからなる橋架用天板連結ピン１２の前記垂直軸部１２ａを長孔１１に沿って天板幅方向移動自在に挿通させると共に、垂直軸部１２ａをこれに嵌め込んだコイルバネ１３により常時下向きに付勢させて、水平軸部１２ｂを妻側端部金具６の上面側に引き付けるようにしてなることを特徴とする。
【０００８】
請求項２は、請求項１に記載の橋架用天板において、前記橋架用天板連結ピン１２には垂直軸部１２ａの上端部にピン引き上げ用リング１５を取り付けてなることを特徴とする。
【０００９】
請求項３は、請求項１又は２に記載の橋架用天板において、前記妻側端部金具６には前記長孔１１の下方で長孔１１の長さ方向に延びるガイド溝６ｃを設け、このガイド溝６ｃにガイド部材１４を長さ方向にスライド自在に嵌合し、このガイド部材１４に橋架用天板連結ピン１２の垂直軸部１２ａを貫通して、この垂直軸部１２ａとガイド部材１４との間に、水平軸部１２ｂを妻側端部金具６の上板部６ａ上面側に引き付けるコイルバネ１３を介装してなることを特徴とする。
【００１０】
請求項４は、請求項１〜３の何れかに記載の橋架用天板において、前記妻側端部金具６の下面側には、橋架時に橋架用天板Ｋの浮上がりを防止するための浮上がり防止ピン１７であって、常時はバネ１８によりピン先端部１７ｏが妻側端部金具６側から作業台Ｓの妻側端部又は桁側端部の下面側に突出するように付勢させた橋架用天板浮上がり防止ピン１７を設けてなることを特徴とする。
【発明の効果】
【００１１】
上記解決手段による発明の効果を、後述する実施形態の参照符号を付して説明すると、請求項１に係る発明の橋架用天板によれば、妻側端部金具６に取り付けた橋架用天板連結ピン１２は、垂直軸部１２ａが上板部６ａの長孔１１沿いにスライド自在であると共に、常時コイルバネ１３で下向きに付勢されて水平軸部１２ｂが妻側端部金具６の上面側に引き付けられた状態にありそして垂直軸部１２ａを中心に旋回自在であるから、橋架用天板Ｋを例えば作業台Ｓ，Ｓの妻側端部間に橋架するにあたり妻側端部金具６の先端部６ｏを作業台Ｓの妻側端部上面に載せた状態で垂直軸部１２ａを引き上げて、垂直軸部１２ａを中心に水平軸部１２ｂを適宜に揺動旋回させつつ長孔１１に沿って適宜スライドさせながら、先端部の係止用軸部１２ｃを、作業台Ｓの天板１にある最寄りの孔部Ａ又はＢに挿入係止させることによって、橋架用天板Ｋ側のピン孔から作業台側の孔部Ａ又はＢまでの長さが、使用する橋架用天板Ｋや作業台Ｓによって多少違っていても、橋架用天板連結ピン１２の掛け渡しを的確且つ容易に行なうことができる。また、この橋架用天板連結ピン１２は、振動等によって抜け出るおそれがなく、安全である。
【００１２】
請求項２に係る発明の橋架用天板によれば、橋架用天板連結ピン１２には垂直軸部１２ａの上端部にピン引き上げ用リング１５を取り付けているから、このリング１５を持ち上げるようにすることで、作業台Ｓ側の孔部Ａ又はＢに対する橋架用天板連結ピン１２の着脱操作が容易となる。
【００１３】
請求項３に係る発明のように、妻側端部金具６に長孔１１の長さ方向に延びるガイド溝６ｃを設け、このガイド溝６ｃにガイド部材１４をスライド自在に嵌合し、このガイド部材１４に橋架用天板連結ピン１２の垂直軸部１２ａを貫通して、この垂直軸部１２ａとガイド部材１４との間に、水平軸部１２ｂを妻側端部金具６の上板部６ａ上面側に引き付けるコイルバネ１３を介装した構成とすることにより、橋架用天板連結ピン１２の取付構造が簡単でコンパクトとなり、橋架用天板Ｋの製作も容易となる。
【００１４】
請求項４に係る発明の橋架用天板のように、妻側端部金具６の下面側に橋架用天板浮上がり防止ピン１７を設けているので、風圧等による橋架用天板Ｋの浮き上がりを防止し、不測の事故を回避することができる。
【発明を実施するための最良の形態】
【００１５】
以下に本発明の好適な実施形態について図面を参照しながら説明すると、図１は、前後左右に夫々一定間隔をおいて配置された複数の作業台Ｓ、及びこれらの作業台Ｓの妻側端部間及び桁側端部間に夫々橋架された複数の橋架用天板Ｋを示す平面図であり、図２はその正面図であり、そして図３の(a) は橋架用天板Ｋの平面図、(b) はその正面図である。図４の(a) は図１の矢印イで示す部分の拡大図、(b) は図１の矢印ロで示す部分の拡大図であり、図５の(a) は図３の(a) のＸ−Ｘ線拡大断面図、(b) は図３の(a) の矢印Ｙから見た拡大図、(c) は図３の(b) の矢印ハで示す部分の拡大図である。
【００１６】
作業台Ｓは、図１、図２に示すように、天板１の両端部に脚体２，２を夫々回転連結金具３を介して折り畳み自在に取り付けてなるもので、各脚体２は、一対の側枠２ａ，２ａと両側枠２ａ，２ａ間に横架された複数の踏杆２ｂ…とからなり、各側枠２ａの上端部には手掛り棒４が鉛直姿勢で使用できるように取り付けられる。天板１には滑り止め手段として孔部Ａ，Ｂが多数穿設されている（図１及び図４参照）。尚、孔部Ａはバーリング加工により形成されたバーリング孔であり、孔部Ｂはバーリング加工によらない普通の孔であり、両孔部Ａ，Ｂの内径は略同じである。
【００１７】
橋架用天板Ｋは、アルミ押出型材製の天板本体５と、この天板本体５の両妻側端部に夫々取り付けられたアルミ押出型材製の妻側端部金具６，６とからなるもので、妻側端部金具６は、図５から分かるように、天板本体５の上面に添うように位置する上板部６ａと、この上板部６ａの下面側に天板幅方向と平行に延びるように並設された一対の下向き凸条部６ｂ，６ｂとからなり、両下向き凸条部６ｂ，６ｂの夫々内側面上部側にはガイド溝６ｃ，６ｃが形成されており、天板本体５の妻側端部への取り付けにあたっては、この妻側端部金具６の基端部に形成されたコ字状枠部６ｄを天板本体５の妻側端部に嵌合させて、リベット結合することにより取り付ける。天板本体５にも滑り止め手段として孔部Ｃ，Ｄが多数穿設されている（図３参照）。この孔部Ｃはバーリング孔であり、孔Ｄは普通の孔である。
【００１８】
図１及び図２において、７は作業台Ｓの天板１及び橋架用天板Ｋの天板本体５の夫々桁側端部沿いに取付金具８によって取り付けられる手摺りである。
【００１９】
各橋架用天板Ｋの妻側端部金具６には、上板部６ａの長手方向両端部側に夫々天板幅方向に長い長孔１１，１１が形成されていて、各の長孔１１には、垂直軸部１２ａとこれの上端部から一体に水平に延びる水平軸部１２ｂとこれの先端部から下向き垂直に突出して作業台Ｓ側の孔部Ａ又はＢに係止可能な係止用軸部１２ｃとからなる橋架用天板連結ピン１２の前記垂直軸部１２ａを、長孔１１に沿ってスライド自在に挿通させると共に、この垂直軸部１２ａをコイルバネ１３により常時下向きに付勢させて、垂直軸部１２ａを妻側端部金具６の上板部６ａ上面側に引き付けるようにしたものである。
【００２０】
上記橋架用天板連結ピン１２の取付構造について更に説明すれば、妻側端部金具６には上板部６ａに形成された長孔１１の下方に位置する両下向き凸条部６ｂ，６ｂの夫々内側面上部側に、長孔１１の長さ方向に延びるガイド溝６ｃ，６ｃが形成されていて、このガイド溝６ｃ，６ｃにガイド部材１４の両側部がガイド溝長さ方向にスライド自在に嵌合され、このガイド部材１４に橋架用天板連結ピン１２の垂直軸部１２ａが貫通されて、この垂直軸部１２ａとガイド部材１４との間に、橋架用天板連結ピン１２の水平軸部１２ｂを妻側端部金具６の上板部６ａ上面側に引き付けるコイルバネ１３が介装されている。
【００２１】
図６の(a) は橋架用天板連結ピン１２の正面図、(b) はその平面図である。この図から分かるように、この橋架用天板連結ピン１２には垂直軸部１２ａの上端部にピン引き上げ用リング１５が揺動自在に取り付けられている。また垂直軸部１２ａの上端部には、妻側端部金具６の上板部６ａの上面に当接して位置決めする平座金２１が取り付けられている。
【００２２】
この橋架用天板連結ピン１２を妻側端部金具６に取り付けるには、先ず妻側端部金具６のガイド溝６ｃ，６ｃにガイド部材１４の両側部をスライド自在に嵌合した後、橋架用天板連結ピン１２の垂直軸部１２ａを、妻側端部金具６の長孔１１からガイド部材１４の垂直軸部挿通孔（図示せず）に挿通し、この垂直軸部１２ａに下端部側よりコイルバネ１３を嵌め込んで、このコイルバネ１３を圧縮した状態で垂直軸部１２ａの先端部に止めナット１６を螺着すればよい。
【００２３】
上記のようにして妻側端部金具６に取り付けられた橋架用天板連結ピン１２は、垂直軸部１２ａが常時コイルバネ１３で下向きに付勢されて、水平軸部１２ｂが妻側端部金具６の上板部６ａ上面側に引き付けられた状態にあり、そしてこの水平軸部１２ｂは垂直軸部１２ａを中心に旋回自在で且つ長孔１１に沿ってスライド自在な状態となっている。
【００２４】
従って、橋架用天板Ｋを作業台Ｓ，Ｓの妻側端部間に橋架する時は、妻側端部金具６の先端部６ｏを作業台Ｓの妻側端部上面に載せた状態とし、この状態でピン引き上げ用リング１５を掴んで持ち上げて、コイルバネ１３の付勢力に抗して橋架用天板連結ピン１２の垂直軸部１２ａを引き上げ、垂直軸部１２ａを中心に水平軸部１２ｂを適宜に揺動旋回させつつ長孔１１に沿って適宜スライドさせながら、先端部の係止用軸部１２ｃを、作業台Ｓの天板１に設けてある最寄りの孔部Ａ又はＢに挿入して係止させることにより、図５の(b) に示す状態とする。
【００２５】
また、図５の(c) に示すように、妻側端部金具６の下面側には、橋架時に橋架用天板Ｋの浮上がりを防止するための浮上がり防止ピン１７が設けられている。即ち、この防止ピン１７は、図７の(a) に示すように、両縦軸部１７ａ，１７ａと横軸部１７ｂとで平面視コ字状に形成されたもので、図７の(b) に示すように両縦軸部１７ａ，１７ａの中間部をブラケット１９に挿通させると共に、その中間部にコイルバネ１８を嵌させ、このコイルバネ１８の付勢力によってコ字状ピン１７の先端部１７ｏ，１７ｏが橋架用天板Ｋ側から作業台Ｓの妻側端部又は桁側端部の下面側に突出し得るような状態でブラケット１９を妻側端部金具６の下面側にリベット２０等で取付け固定するようにしたものである。
【００２６】
図５の(c) は橋架用天板Ｋを作業台Ｓ，Ｓの妻側端部間に橋架した時に浮上がり防止ピン１７によって橋架用天板Ｋの浮き上がりを防止された状態を示している。この図示状態から防止ピン１７をコイルバネ１８の付勢力に抗して内方側、即ち同図の矢印方向へ引っ張って、このピン１７の先端部１７ｏ，１７ｏを妻側端部金具６の先端部６ｏから内方へ引っ込めることにより、橋架用天板Ｋは作業台Ｓ，Ｓの妻側端部間から上方へ取り出し可能な状態となる。
【００２７】
図４の(a) は図１の矢印イで示す部分の拡大図で、作業台Ｓ，Ｓの妻側端部間に橋架した橋架用天板Ｋの天板本体５の妻側端部金具６の連結状態を示している。この連結にあたっては、妻側端部金具６の先端部６ｏを作業台Ｓの天板１の妻側端部上面に載せた状態から、ピン引き上げ用リング１５を介して橋架用天板連結ピン１２の垂直軸部１２ａを引き上げ、橋架用天板連結ピン１２の垂直軸部１２ａを中心にその水平軸部１２ｂを適宜に揺動旋回させつつ長孔１１に沿って適宜スライドさせながら、先端部の係止用軸部１２ｃを作業台側天板１にある最寄りの孔部Ａ又はＢに挿入して係止させればよい。
【００２８】
この図４(a) に示す例では、天板連結ピン１２の水平軸部１２ｂが長孔１１の端部から天板長さ方向に延びて、先端部の係止用軸部１２ｃが作業台側天板１の最寄りの孔部Ｂに係入した状態を示しているが、例えば作業台側天板１の最寄りの孔部Ｂが図４(a) の紙面に示す位置よりも上方にずれたＢ′の位置にある場合は、天板連結ピン１２の垂直軸部１２ａを長孔１１に沿って図４(a) の紙面に示す位置より上方へスライドさせればよいし、また作業台側天板１の最寄りの孔部Ｂが例えば図４(a) の紙面に示す位置よりも右方寄り斜め下方へ若干ずれたＢ″の位置にある時は、天板連結ピン１２の垂直軸部１２ａを長孔１１に沿って紙面の上方へスライドさせながら、その垂直軸部１２ａを中心として水平軸部１２ｂを図面の下方へ揺動させるようにすればよい。
【００２９】
図４の(b) は図１の矢印ロで示す部分の拡大図で、作業台Ｓ，Ｓの桁側端部間に橋架用天板Ｋを橋架した場合の橋架用天板Ｋの天板本体５の妻側端部金具６の連結状態を示す。この連結においても、妻側端部金具６の先端部６ｏを作業台Ｓの天板１の桁側端部上面に載せた状態から、ピン引き上げ用リング１５を介して橋架用天板連結ピン１２の垂直軸部１２ａを引き上げ、橋架用天板連結ピン１２の垂直軸部１２ａを中心にその水平軸部１２ｂを適宜に揺動旋回させつつ長孔１１に沿って適宜スライドさせながら、先端部の係止用軸部１２ｃを作業台側天板１にある最寄りの孔部Ａに挿入して係止させればよい。
【００３０】
また図４の(b) において、作業台側天板１にある最寄りの孔部Ａが紙面に示す位置よりも左斜め上方へずれたＡ′の位置にある場合は、天板連結ピン１２の垂直軸部１２ａを長孔１１に沿ってスライドさせることによって、先端部の係止用軸部１２ｃを、そのＡ′の位置にある孔部Ａに的確に挿入して係止させることができる。
【図面の簡単な説明】
【００３１】
【図１】前後左右に夫々一定間隔をおいて配置される複数の作業台、及びこれらの作業台の妻側端部間及び桁側端部間に夫々橋架された複数の橋架用天板を示す平面図である。
【図２】図１に示す作業台及び橋架用天板の正面図である。
【図３】(a) は橋架用天板の平面図、(b) はその正面図である。
【図４】(a) は図１の矢印イで示す部分の拡大図、(b) は図１の矢印ロで示す部分の拡大図である。
【図５】(a) は図３の(a) のＸ−Ｘ線拡大断面図、(b) は図３の(a) の矢印Ｙから見た拡大正面図、(c) は図３の(b) の矢印ハで示す部分の拡大図である。
【図６】(a) は橋架用天板連結ピンの正面図、(b) は平面図である。
【図７】ブラケットに取り付けた浮上がり防止ピンの正面図、(b) はその平面図である。
【符号の説明】
【００３２】
Ｓ              作業台
１              天板
２              脚体
Ａ，Ｂ          天板の孔部
Ｋ              橋架用天板
５              天板本体
６              妻側端部金具
６ａ            妻側端部金具の上板部
１１            長孔
１２            橋架用天板連結ピン
１２ａ          垂直軸部
１２ｂ          水平軸部
１２ｃ          係止用軸部
１３            コイルバネ
１４            ガイド部材
１５            ピン引き上げ用リング
１７            浮上がり防止ピン
【図１】
0004594895.tif 000002
【図２】
0004594895.tif 000003
【図３】
0004594895.tif 000004
【図４】
0004594895.tif 000005
【図５】
0004594895.tif 000006
【図６】
0004594895.tif 000007
【図７】
0004594895.tif 000008